【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
ファイルがドラッグされている間にキーボードの第１の特定キーが押下されたことを検知する検知手段と、
前記ファイルがドラッグされている間に前記キーボードの第１の特定キーが押下されたことを前記検知手段で検知した場合、所定のオブジェクトを前面に表示する表示制御手段と、
前記ドラッグされているファイルが前記前面に表示された所定のオブジェクトにドロップされた場合、当該ドロップ先の所定のオブジェクトに対応する処理を前記ファイルに対して実行する実行手段と、
を備えることを特徴とする情報処理装置。
【請求項２】
ファイルがドラッグされている間にキーボードの第１の特定キーが押下されたことを検知する検知手段と、
前記ファイルがドラッグされている間に前記キーボードの第１の特定キーが押下されたことを前記検知手段で検知した場合、所定のオブジェクトを前面に表示する表示制御手段と、
前記ドラッグされているファイルが前記前面に表示された所定のオブジェクトへ更にドラッグされた場合、前記ファイルに対して実行可能な複数の処理をメニューとして表示するメニュー表示手段と、
前記ドラッグされているファイルが前記メニュー表示手段により表示された複数の処理の中の１つにドロップされた場合、当該ドロップ先に対応する処理を前記ファイルに対して実行する実行手段と、
を備えることを特徴とする情報処理装置。
【請求項３】
前記メニュー表示手段により表示された複数の処理は、印刷処理、ファクス送信処理、印刷プレビュー処理、およびＰＤＦ変換処理の少なくともいずれかを含むことを特徴とする請求項２に記載の情報処理装置。
【請求項４】
前記ファイルがドラッグされている間に前記キーボードの第２の特定キーが押下されたことを前記検知手段で検知した場合、前記表示制御手段は、前記所定のオブジェクトを前面かつポインタの近傍に移動させて表示することを特徴とする請求項１乃至３のいずれか１項に記載の情報処理装置。
【請求項５】
前記表示制御手段は、前記所定のオブジェクトを前面かつポインタの近傍に移動させて表示した後、前記ファイルのドラッグが終了した場合、前記所定のオブジェクトを元の位置に戻すことを特徴とする請求項４に記載の情報処理装置。
【請求項６】
設定画面を介して、前記第１の特定キーを設定する設定手段を更に有することを特徴とする請求項１乃至５のいずれか１項に記載の情報処理装置。
【請求項７】
設定画面を介して、前記第１の特定キーと前記第２の特定キーとを設定する設定手段を更に有することを特徴とする請求項４に記載の情報処理装置。
【請求項８】
ファイルがドラッグされている間にキーボードの特定キーが押下されたことを検知する検知手段と、
前記ファイルがドラッグされている間に前記キーボードの特定キーが押下されたことを前記検知手段で検知した場合、所定のオブジェクトを前面かつポインタの近傍に移動させて表示する表示制御手段と、
前記ドラッグされているファイルが前記前面かつポインタの近傍に移動させて表示された所定のオブジェクトにドロップされた場合、当該ドロップ先の所定のオブジェクトに対応する処理を前記ファイルに対して実行する実行手段と、
を備えることを特徴とする情報処理装置。
【請求項９】
ファイルがドラッグされている間にキーボードの特定キーが押下されたことを検知する検知手段と、
前記ファイルがドラッグされている間に前記キーボードの特定キーが押下されたことを前記検知手段で検知した場合、所定のオブジェクトを前面かつポインタの近傍に移動させて表示する表示制御手段と、
前記ドラッグされているファイルが前記前面かつポインタの近傍に移動させて表示された所定のオブジェクトへ更にドラッグされた場合、前記ファイルに対して実行可能な複数の処理をメニューとして表示するメニュー表示手段と、
前記ドラッグされているファイルが前記メニュー表示手段により表示された複数の処理の中の１つにドロップされた場合、当該ドロップ先に対応する処理を前記ファイルに対して実行する実行手段と、
を備えることを特徴とする情報処理装置。
【請求項１０】
コンピュータを、請求項１乃至９のいずれか１項に記載の情報処理装置の各手段として機能させるためのプログラム。
【請求項１１】
情報処理装置を制御するための制御方法であって、
前記情報処理装置の検知手段が、ファイルがドラッグされている間にキーボードの第１の特定キーが押下されたことを検知する検知工程と、
前記情報処理装置の表示制御手段が、前記ファイルがドラッグされている間に前記キーボードの第１の特定キーが押下されたことを前記検知工程にて検知した場合、所定のオブジェクトを前面に表示する表示制御工程と、
前記情報処理装置の実行手段が、前記ドラッグされているファイルが前記前面に表示された所定のオブジェクトにドロップされた場合、当該ドロップ先の所定のオブジェクトに対応する処理を前記ファイルに対して実行する実行工程と、
を有することを特徴とする制御方法。
【請求項１２】
情報処理装置を制御するための制御方法であって、
前記情報処理装置の検知手段が、ファイルがドラッグされている間に、キーボードの第１の特定キーが押下されたことを検知する検知工程と、
前記情報処理装置の表示制御手段が、前記ファイルがドラッグされている間に前記キーボードの第１の特定キーが押下されたことを前記検知工程にて検知した場合、所定のオブジェクトを前面に表示する表示制御工程と、
前記情報処理装置のメニュー表示手段が、前記ドラッグされているファイルが前記前面に表示された所定のオブジェクトへ更にドラッグされた場合、前記ファイルに対して実行可能な複数の処理をメニューとして表示するメニュー表示工程と、
前記情報処理装置の実行手段が、前記ドラッグされているファイルが前記メニュー表示工程にて表示された複数の処理の中の１つにドロップされた場合、当該ドロップ先に対応する処理を前記ファイルに対して実行する実行工程と、
を有することを特徴とする制御方法。
【請求項１３】
情報処理装置を制御するための制御方法であって、
前記情報処理装置の検知手段が、ファイルがドラッグされている間にキーボードの特定キーが押下されたことを検知する検知工程と、
前記情報処理装置の表示制御手段が、前記ファイルがドラッグされている間に前記キーボードの特定キーが押下されたことを前記検知工程にて検知した場合、所定のオブジェクトを前面かつポインタの近傍に移動させて表示する表示制御工程と、
前記情報処理装置の実行手段が、前記ドラッグされているファイルが、前記前面かつポインタの近傍に移動させて表示された所定のオブジェクトにドロップされた場合、当該ドロップ先の所定のオブジェクトに対応する処理を前記ファイルに対して実行する実行工程と、
を有することを特徴とする制御方法。
【請求項１４】
情報処理装置を制御するための制御方法であって、
前記情報処理装置の検知手段が、ファイルがドラッグされている間にキーボードの特定キーが押下されたことを検知する検知工程と、
前記情報処理装置の表示制御手段が、前記ファイルがドラッグされている間に前記キーボードの特定キーが押下されたことを前記検知工程にて検知した場合、所定のオブジェクトを前面かつポインタの近傍に移動させて表示する表示制御工程と、
前記情報処理装置のメニュー表示手段が、前記ドラッグされているファイルが前記前面かつポインタの近傍に移動させて表示された所定のオブジェクトへ更にドラッグされた場合、前記ファイルに対して実行可能な複数の処理をメニューとして表示するメニュー表示工程と、
前記情報処理装置の実行手段が、前記ドラッグされているファイルが前記メニュー表示工程にて表示された複数の処理の中の１つにドロップされた場合、当該ドロップ先に対応する処理を前記ファイルに対して実行する実行工程と、
を有することを特徴とする制御方法。
【手続補正２】
【補正対象書類名】明細書
【補正対象項目名】０００６
【補正方法】変更
【補正の内容】
【０００６】
上記課題を解決するために本願発明は以下の構成を有する。すなわち、情報処理装置であって、ファイルがドラッグされている間にキーボードの第１の特定キーが押下されたことを検知する検知手段と、前記ファイルがドラッグされている間に前記キーボードの第１の特定キーが押下されたことを前記検知手段で検知した場合、所定のオブジェクトを前面に表示する表示制御手段と、前記ドラッグされているファイルが前記前面に表示された所定のオブジェクトにドロップされた場合、当該ドロップ先の所定のオブジェクトに対応する処理を前記ファイルに対して実行する実行手段と、を備える。